(57)【要約】【課題】人によって著しく異なる足の甲の足囲およびパンプスにより太さと高さが異なるヒールであっても、個人差に対応できる種々のパンプスに着用可能であるとともに、パンプスの中で足の前すべりが起きないストラップがなかった。【解決手段】パンプスの後方部に当接してパンプスを把持するための把持部と、この把持部に一体的に連接され、把持部と共にパンプスのヒールを挿通するための環状部を形成する保持部と、把持部と保持部の連接部から延接された固定具を備えたものである。【選択図】図１
2014046184.tif 000002
【特許請求の範囲】
【請求項１】
パンプスの後方部に当接してパンプスを把持するための把持部と、この把持部に一体的に連接されパンプスに装着されたときパンプスの土踏まず部分を保持するとともに、パンプスのヒールを挿通可能にするための環状部を前記把持部と共に形成する保持部と、前記把持部と前記保持部との一方の連接部および他方の連接部から各延接されパンプスを履いた時に足の甲の上方に当接して足をパンプスに固定するための固定具とを備えたことを特徴とするパンプス用ストラップベルト。
【請求項２】
前記把持部は、前記パンプスの踵部の下端部近傍と前記パンプスのヒールの上端部近傍とに跨ってパンプスの後方部に当接して把持することを特徴とするパンプス用ストラップベルト。
【発明の詳細な説明】
【技術分野】
【０００１】  本発明は、パンプスを履いて歩く際に、パンプスの中で足の前すべりが起こることを防ぐために着用するパンプス用ストラップベルトに関するものである。
【背景技術】
【０００２】  パンプスとは、約３センチ以上のヒールがつき、履き口となる足の甲の部分が大きく開いた、紐や留め具がついていない女性用の靴であって、構造上、足との一体化を図りにくい履きものであり、前足部への荷重が大きくなるため、パンプス内での足の前すべりが起こる。その前すべりが、外反母趾を始めとする足のトラブルを引き起こす。
さらにこの構造は、ヒールが高いため前足部方向へ体重が大きくかかり、甲の開きと紐や留め具の不在により、足とパンプスとの一体感が得られず、足がパンプスの内部で踊るような状態になる。よって、体の重心は前に移動し、パンプスの中で足が前すべりを起こすことで足の趾の動きを阻害し、外反母趾やハンマートゥ、タコ・魚の目など足のトラブルを引き起こす大きな要因となる。【０００３】  歩行時にパンプスが足から離れないようにするためには、人によって足の関節であるショパール関節またはリスフラン関節を保持するのが一番効果的であると言える。足の甲部とパンプスの底部をゴムバンドやパンプス用ホルダーで留める対策は一見有効に見えるが、関節を保持していないため、足とパンプスの一体化に対する効果は非常に弱いと言える。【０００４】  歩くたびに踵がパンプスから脱げないことを目的にしたバンドおよびパンプスホルダーが特許文献１〜３に提案されている。
特許文献１に開示されているバンドは、伸縮可能な素材で製作される輪状のベルト１で、中足部である土踏まず辺りの足の甲部とパンプスの底部にかけて、巻回して着用するものである。このバンドは現在も市販されている。【０００５】  このような構造のものは、ショパール関節およびリスフラン関節を保持しているように見える。しかし、発明者が特許文献１の図４に開示されたようなバンドを実際に着用して歩いてみると、幅が狭く甲が低い発明者の足では、バンドが前方にずれてしまい、最終的には足の先端部分すなわち前足部まで落ちてしまうという問題が発生した。
一方、図５に示されたような補助ベルト４をつけるとバンドの前方へのずれがなくなるように思われるが、このような補助ベルト４を用いるとバンドにかかる前方への力が強いため、アキレス腱を痛めてしまう恐れがある。【０００６】  また、特許文献２に示されたものは、歩行時に足が前方斜め上方向に引っ張られる際、ストラップがヒールの内側（前方側）にかけられているため、ヒールを後方側に引っ張る力が働くのでヒールが破損しやすいという欠点がある。また、上方移動を阻止するための具体的構成がないので、パンプスの中で踵が浮いてしまうという欠点がある。【０００７】  さらに、特許文献３に示されたものは、歩行時に足が前方斜め上方に引っ張られる際、前方移動を阻止するための支点がヒールとなっており、歩行時に着地する際の体重に対する強度はあっても、歩行時の前方斜め上方向に引き上げられる力がヒールに直接かかるためヒールが破損しやすいという欠点と、上方移動を阻止するための具体的構成がないため、特許文献２に示されたものと同様、パンプスの中で踵が浮いてしまうという欠点がある。そして、ヒールの太さはファッションの一部であるため、数多くの種類があり、１種類のヒール用環状体で対応できない欠点がある。
【先行技術文献】
【０００８】
【特許文献１】実開平５−０１５８１０号公報
【特許文献２】特開２０１２−１１０６５２号公報
【特許文献３】実用新案登録第３１５４０８８号公報
【発明の概要】
【発明が解決しようとする課題】
【０００９】  本発明は上記特許文献１〜３に記載されたものにおける欠点を解消するためになされたもので、人によって著しく異なる足の甲の足囲およびパンプスにより太さと高さが異なるヒールであっても、個人差に対応できる種々のパンプスに着用可能で、かつ、パンプスの中で足の前すべりを防ぐことのできるストラップがないばかりでなく、見た目もファッション性が高く、パンプスの外観のデザインの一部として馴染むようなフォルムと、様々な仕様にチャレンジできる自由度を兼ね備えたストラップがないという課題がある。
【課題を解決するための手段】
【００１０】  本発明は、上記課題を解決するためになされたもので、パンプスの後方部に当接してパンプスを把持するための把持部と、この把持部に一体的に連接されパンプスに装着されたときパンプスの土踏まず部分を保持するとともに、パンプスのヒールを挿通可能にするための環状部を前記把持部と共に形成する保持部と、前記把持部と前記保持部との一方の連接部および他方の連接部から各延接されパンプスを履いた時に足の甲の上方に当接して足をパンプスに固定するための固定具とを備えたことを特徴とするパンプス用ストラップベルトである。【００１１】  さらに本発明は、前記把持部が、前記パンプスの踵部の下端部近傍と前記パンプスのヒールの上端部近傍とに跨ってパンプスの後方部に当接して把持することを特徴とするパンプス用ストラップベルトである。
【発明の効果】
【００１２】  本発明によれば、把持部１Ａとこの把持部１Ａに連接され環状部１Ｈを形成する保持部１Ｂとから構成され、環状部１Ｈにパンプス１Ｉのヒール１Ｊを挿通するようにしているので、把持部１Ａが歩行時の足の前方移動を抑え、足の甲の上方に当接して足をパンプス１Ｉに固定するための固定具が、ショパール関節またはリスフラン関節を押さえ込むことで、足の上方移動を押さえる構造となっているので、パンプス１Ｉを履いて歩く際に起こる足の前すべりだけでなく、足の上方への不要な移動を解消できる。
パンプスにおける踵部へのヒールの取付構造には大きな差異がないため、種々のパンプスへの着脱が可能となる。
ストラップには長さ調整を可能にする部材を使用しているので、足の甲の足囲の個人差を解消できる。
また、本発明によるパンプス用ストラップベルトは、極めてシンプルな構造であるため、様々な素材を活用してファッション性の高い製品にすることが可能である。
【図面の簡単な説明】
【００１３】
【図１】本発明の一実施例を示す左足用のパンプス用ストラップベルトの斜視図。
【図２】同パンプスに着用した状態を示す斜視図。
【発明を実施するための形態】
【００１４】  以下、図面を参照しながら、本発明によるパンプス用ストラップベルトの実施の形態について説明する。パンプス用ストラップベルト１は、パンプス１Ｉの後方部、すなわち、ヒール１Ｊの上端部近傍とパンプス１Ｉの踵部１Ｋの下端部近傍を把持するための把持部１Ａと、この把持部１Ａに連接されパンプス１Ｉの土踏まず部分を保持するための保持部１Ｂと、把持部１Ａと保持部１Ｂの一方の連接部１Ｌに設けられ、足の甲の上方を押さえるストラップ１Ｃと、ストラップ１Ｃを固定するために把持部１Ａと保持部１Ｂとの他方の連接部１Ｍに設けられた留め具１Ｄから構成されている。
そして、ストラップ１Ｃと留め具１Ｄとでパンプスを履いた時に足の甲の上方を押さえて、足をパンプス１Ｉに固定する固定具を形成している。
【００１５】  なお１Ｅは保持部１Ｂに設けられた弾性部材から成る伸縮部であり、１Ｆと１Ｇはストラップ１Ｃが留め具１Ｄから挿入されて折り返された時に互いに接合するための面ファスナー部である。
このような構造にすることにより、把持部１Ａと保持部１Ｂと伸縮部１Ｅとで、ヒール１Ｋを挿通するための穴状の環状部１Ｈを形成するような環状構造を構成している。
【００１６】  本発明によるパンプス用ストラップベルト１の使用方法を図２を参照しながら説明する。図１に示したパンプス用ストラップベルト１の環状部１Ｈにパンプス１Ｉのヒール１Ｊを挿通し、伸縮部１Ｅがパンプス１Ｉの土踏まずの部分に来るように設定する。
次に、パンプス１Ｉに足を入れて、ストラップ１Ｃの先端を留め具１Ｄに挿入して折り返し、ストラップ１Ｃの長さを調節し、ストラップ１Ｃが足の甲の上方に当接するようにした状態で面ファスナー部１Ｆと１Ｇを合わせて留める。このようにすることにより足をパンプスに適切に固定することができる。
【００１７】  なお、上記実施例において、ストラップ１Ｃは面ファスナー１Ｆと１Ｇを使用しているが、足の甲の上方を押さえるものであればよく、例えば、スナップやホック、ループとボタン、バックル、チェーンなどを使用することができる。
また、パンプス用ストラップベルト１は、表側の地と裏側の地とは異なった種々の布やニット、合成皮革、ゴムなどを使用することができる。パンプス１Ｉの踵近傍の外径に則した形状とすれば伸縮部１Ｅは用いなくても良い。
さらに、把持部１Ａはヒール１Ｊの上端部近傍とパンプス１Ｉの踵部１Ｋの下端部近傍に当接して保持しているものについて述べたが、例えばヒール１Ｊが細い場合には、ヒール１Ｊに負荷がかからないようにするために、パンプス１Ｉの踵部１Ｋのみに当接してもよい。
【符号の説明】
【００１８】  １    パンプス用ストラップベルト
１Ａ  把持部
１Ｂ  保持部
１Ｃ  ストラップ
１Ｄ  留め具
１Ｅ  伸縮部
１Ｆ  面ファスナー
１Ｇ  面ファスナー
１Ｈ  環状部
１Ｉ  パンプス
１Ｊ  ヒール
１Ｋ  踵部
１Ｌ  一方の連接部
１Ｍ  他方の連接部
【図１】
2014046184.tif 000003
【図２】
2014046184.tif 000004